(57)【要約】      （修正有）【課題】引出本体の前側板の下部に手の指が入る凹状部が形成されていても、前後方向に延びる仕切り板を設置でき、小物の収納に適した低コストで製作可能な収納ケースを提供する。【解決手段】前面が開口する内部空間を有するカバー本体１と、カバー本体１の底板上に載置され、カバー本体１の前面の開口から出し入れ自在の引出本体２を有し、引出本体２の前側板２１の下部に手の指が入る袋状の凹状部３ａ〜３ｃを、出し入れ方向に沿って複数形成した。【選択図】図２
2019088523.tif 000002
【特許請求の範囲】
【請求項１】
前面が開口する内部空間を有するカバー本体と、
該カバー本体の底板上に載置され、該カバー本体の前面の開口から出し入れ自在の引出本体を有し、
該引出本体の前側板の下部に手の指が入る袋状の凹状部を、出し入れ方向と直行する方向に沿って複数形成したことを特徴とする収納ケース。
【請求項２】
隣接する２つの凹状部間が、引出本体の収納空間側において、仕切り板用の第１縦溝となることを特徴とする請求項１記載の収納ケース。
【請求項３】
該凹状部が形成される前側板と対峙する後側板面に、該第１縦溝に対応する第２縦溝を形成したことを特徴とする請求項２記載の収納ケース。
【請求項４】
該第２縦溝は、２つの突起壁間の隙間であることを特徴とする請求項３記載の収納ケース。
【請求項５】
該引出本体内の収納空間を仕切る、略四角形状の仕切り板を、更に設置したことを特徴とする請求項２〜４のいずれか１項に記載の収納ケース。 
【発明の詳細な説明】
【技術分野】
【０００１】
本発明は、一般家庭等において、例えば衣装や雑貨類の整理用に使用される収納ケースに関する。
【背景技術】
【０００２】
一般家庭等において使用される、前面が開口する内部空間を有するカバー本体と、該カバー本体の底板上に載置され、該カバー本体の前面の開口から出し入れ自在に設けられる引出本体を有する合成樹脂製の収納ケースがよく知られている。また、収納ケースの使用の利便性を高めるための種々の提案がされている。
【０００３】
実用新案登録第３１７５８２７号公報には、前面が開口した内部空間をもつ合成樹脂製の枠本体１と、内部空間を形成する枠本体の底板１ａ上に載置され、枠本体の前面の開口を介して引出収納自在に設けられた合成樹脂製の引出体とからなり、引出体の底面に引出収納方向に延びる凸条部Ｔを形成し、凸条部に嵌入凸部Ｈを形成し、枠本体の底板に嵌入凸部が嵌入可能な嵌入凹部Ｇを形成してなる収納ケースが開示されている。
【０００４】
実用新案登録第３１７５８２７号公報の収納ケースによれば、枠本体内の内部空間に引出体を収納したとき、嵌入凸部が嵌入可能な嵌入凹部に嵌入し、この嵌入により引出体が内部空間に収納されたことを手応えで感得することができると共に、枠本体の設置状態や引出体内の収納物の収納状態、外力が加わった場合において、引出体が前方に飛び出してくることを防ぐことができ、使用の利便性及び使用の安全性を高めることができるというものである。
【先行技術文献】
【特許文献】
【０００５】
【特許文献１】実用新案登録第３１７５８２７号
【発明の概要】
【発明が解決しようとする課題】
【０００６】
しかしながら、従来の収納ケースは、カバー本体（枠本体）と引出本体（引出体）との関係における使用の利便性を向上させたものである。一方、使用勝手をよくするため収納ケース内を細かく区画して、小物の収納に使用したいという要望もある。また、従来の収納ケースは、前方への引き出しを容易にするため、引出本体の前側板の下部に手の指が入る凹状部が形成されており、前側板の裏面に前後方向に延びる仕切り板を支持する係止溝は設置し難いという問題があった。
【０００７】
従って、本発明の目的は、引出本体の前側板の下部に手の指が入る凹状部が形成されていても、前後方向に延びる仕切り板を設置でき、小物の収納に適した低コストで製作可能な収納ケースを提供することにある。
【課題を解決するための手段】
【０００８】
上記目的を達成するために、本発明は、前面が開口する内部空間を有するカバー本体と、該カバー本体の底板上に載置され、該カバー本体の前面の開口から出し入れ自在の引出本体を有し、該引出本体の前側板の下部に手の指が入る袋状の凹状部を、出し入れ方向と直行する方向に沿って複数形成したことを特徴とする前記収納ケースを提供するものである。
【０００９】
また、本発明は、隣接する２つの凹状部間が、引出本体の収納空間側において、仕切り板用の第１縦溝となることを特徴とする前記収納ケースを提供するものである。
【００１０】
また、本発明は、該凹状部が形成される前側板と対峙する後側板面に、該第１縦溝に対応する第２縦溝を形成したことを特徴とする前記収納ケースを提供するものである。
【００１１】
また、本発明は、該第２縦溝は、２つの突起壁間の隙間であることを特徴とする前記収納ケースを提供するものである。
【００１２】
また、本発明は、該引出本体内の収納空間を仕切る、略四角形状の仕切り板を、更に設置したことを特徴とする前記収納ケースを提供するものである。
【発明の効果】
【００１３】
本発明によれば、引出本体の前側板の下部に形成された下方開口の袋状の凹状部は、複数形成されており、引出本体の収納空間側では、隣接する２つの凹状部間の隙間が仕切り板の溝として利用できる。このため、別途の仕切り板用溝がなくとも、前後方向に延びる略四角形状の仕切り板の設置が可能となる。
【図面の簡単な説明】
【００１４】
【図１】本発明の実施の形態における収納ケースの斜視図である。
【図２】本発明の実施の形態における収納ケースの分解斜視図である。
【図３】図１の収納ケースの引出本体と仕切り板の関係図である。
【図４】図３の収納ケースの引出本体の使用状態図である。
【図５】図１の収納ケースの引出本体の斜視図である。
【図６】図５の符号Ｘ方向から見た内側コーナー部の拡大図である。
【図７】図５の収納ケースの幅方向の中央で切断した断面図である。
【発明を実施するための形態】
【００１５】
次に、本発明の収納ケースの実施の形態例を図１〜図７を参照して説明する。本明細書において、「前後」とは、特段の説明がない限り、カバー本体の開口側を「前」、その反対方向を「後」とする。また、「左右方向」は特段の説明がない限り、カバー本体の開口側から見た方向を言う。
【００１６】
収納ケース１０は、前面が開口する内部空間を有するカバー本体１と、カバー本体１の底板上に載置され、カバー本体１の前面の開口から出し入れ自在の引出本体２を有する。すなわち、カバー本体１は、左右側板、天板、底板及び後側板で囲まれた平面視が長方形状の枠体である。また、天板には、収納ケースを積み重ねる際、上方の収納ケースの設置を安定させる周回溝が形成されている。引出本体２は、カバー本体１の前面の開口から出し入れ自在の形状であって、前後側板２１、２４、左右側板２２、２３及び底板２５からなる上方が開口の箱形状である。
【００１７】
収納ケース１０は、引出本体２の前側板２１の下部に手の指が入る袋状の凹状部３を、出し入れ方向と直行する方向に沿って複数形成したものである。本例では、前側板２１の下部に手の指が入る３つの袋状の凹状部３ａ〜３ｃを、出し入れ方向と直行する方向に沿って形成したものである。引出本体２の前側板２１の下方に３つの凹状部３ａ〜３ｃを形成することで、収納ケース１０から引出本体２を手前に引出し易くなる。
【００１８】
収納ケース１０において、凹状部３ａ〜３ｃは、全て同じ形状であり、凹状部３ｂのみ説明し、凹状部３ａ、３ｃの説明は、省略する。凹状部３ｂは、前側板２の下端角に形成され、手の指が入る開口と幅寸法と奥行長さを有する。すなわち、凹状部３ｂは、左右側板３３ｂ、３３ｂ、後側板３１ｂ、天板３２ｂ及び天板３２ｂから下方へ垂れる前側板３４ｂで囲まれた内部空間を有する（図６及び図７）。また、前側板３４ｂの上下方向の長さが小であるため、前面に手の指が入る開口が形成されると共に、前側板３４ｂの裏面に手の指の腹が当たるようになる。また、後側板３１ｂと天板３２ｂとの接続部は、丸み形状となっている。これにより、手の指が、前側板３４ｂの裏面に当たり易くなる。
【００１９】
凹状部３ａと隣接する凹状部３ｂ間、凹状部３ｂと隣接する凹状部３ｃ間には、それぞれ区画壁４ａ、４ｂが形成されている（図１）。すなわち、２つの凹状部間は、引出本体２の収納空間側から見て、仕切り板１１ｂ用の第１縦溝５となっている（図６）。収納ケース１０においては、この溝を利用し、凹状部３ａと隣接する凹状部３ｂ間の溝において、更に縦壁５１ａを凹状部３ａの奥側の側板３３ａの頂点から上方へ延びるように、縦壁５２ａを凹状部３ｂの手前の側板３３ｂの頂点から上方へ延びるように５２ａを形成して、仕切り板用の第１縦溝５ａを形成している。すなわち、第１縦溝５ａは、区画壁４ａの内部空間側（裏側）に形成されている。
【００２０】
同様に、縦壁５１ｂを凹状部３ｂの奥側の側板３３ｂの頂点から上方へ延びるように、縦壁５２ｂを、凹状部３ｃの手前の側板３３ｃの頂点から上方へ延びるように形成して、仕切り板用の第１縦溝５ｂを形成している。すなわち、第１縦溝５ｂは、区画壁４ｂの内部空間側（裏側）に形成されている。すなわち、２つの仕切り板用の第１縦溝５は、隣接する２つの袋状の凹状部３が形成されることで、必然的に形成されることになる。第１縦溝５ａ、５ｂの溝幅としては、２〜５ｍｍ程度である。
【００２１】
収納ケース１０において、前側板２１と対峙する後側板２４には、第１縦溝５ａ、５ｂに対応する位置に、第２縦溝９、９が形成されている。第２縦溝９は２本の小高さの板状突起壁で形成されている。これにより、引出本体２の内寸法（前後長さ）に相当する仕切り板１１ｂの両端部をそれぞれ、第１縦溝５ａと第２縦溝９及び第１縦溝５ｂと第２縦溝９に差し込めば、２つの仕切り板１１ｂの設置が可能となる。特に、第１縦溝５ａ、５ｂの下方部は、隣接する２つの凹状部３間の隙間を利用しており、溝深さが深く、仕切り板の設置が更に安定する。また、仕切り板１１ｂは、略四角形状であり、前後の区別なく使用できる。
【００２２】
収納ケース１０において、左右両側板２２、２３には、仕切り板が係止する第２縦溝９、９縦溝が形成されている。第２縦溝９は２本の小高さの板状突起壁により形成されている。これにより、引出本体２の内寸法（左右長さ）に相当する仕切り板１１ａの両端部をそれぞれ、右側板の第１縦溝９と対応する位置にある左側板の第１縦溝９に差し込めば、仕切り板１１ａの設置が可能となる。
【００２３】
なお、前後方向を仕切る仕切り板１１ａと左右方向を仕切る仕切り板１１ｂは、両者が交差する部分に、公知の嵌合用の切り欠きが形成されており、これにより、引出本体２内を細かく、区画することができる。本例では、３枚の仕切り板１１ａと２枚の仕切り板１１ｂを使用するため、１２の区画に細分化できる。また、底板２５の表面において、第１縦溝５ａと後側板の第２縦溝９を結ぶライン上であって、且つ左右側板の内側に形成された第２縦溝９を結ぶライン上の３箇所の交差部及び第１縦溝５ｂと後側板の第２縦溝９を結ぶライン上であって、且つ左右側板の内側に形成された第２縦溝を結ぶライン上の３箇所の交差部には、それぞれ４つの突起で形成される十字溝２６が形成されている。これにより、仕切り板１１ａ及び仕切り板１１ｂの仕切りが安定する。仕切り板は、仕切り板１１ａ及び仕切り板１１ｂのいずれか一方の使用であっても、両方の使用であってもよい。
【００２４】
収納ケース１０は、引出本体２をケース本体１に組み込んで使用することができ、また、引出本体２を単独で使用することができる。引出本体２をケース本体１に組み込んで使用する方法において、ケース本体１に組み込まれた引出本体２を引き出すには、前側板２１の下部に形成された凹状部３ａ〜３ｃのいずれか又は２箇所に、片方又は両方の手先を入れ、凹状部３を形成する前側板３４の裏面に指の腹をあてがい、手前に引くことで、ケース本体１から引出本体２を容易に取り出すことができる。引出本体２を単独使用で、正面視が縦方向に長い設置姿勢の場合、凹状部３ａ〜３ｃが手前となるように設置する。そして、引出本体２を手前に移動させるには、前側板２１の下部に形成された凹状部３ａ〜３ｃのいずれか又は２箇所に、片方又は両方の手先を入れ、凹状部３を形成する前側板３４の裏面に指の腹をあてがい、手前に引くことで、ケース本体１から引出本体２を縦長姿勢のまま容易に手前に移動させることができる。
【００２５】
本発明の収納ケースは、上記実施の形態例に限定されず、種々の変形を採ることができる。収納ケース１０において、第１縦溝５ａ、５ｂの上部の例えば、２つの縦壁５１ａと５２ａ及び２つの縦壁５１ｂと５２ｂは省略できる。すなわち、引出本体２において、仕切り板用の溝は、隣接する２つの凹状部間の溝のみでよい。また、引出本体２において、後側板の第２縦溝９や底板２５上の十字溝２６は省略できる。また、凹状部３ａ〜３ｃの形成場所は、前側板に限定されず、左側板又は右側板にも形成してもよい。これにより、引出本体２の単独使用であって且つ横長方向に設置する場合に好適である。また、前側板の凹状部３ａ〜３ｃの設置個数は、３個に限定されず、２個であってもよい。この場合、隣接する凹状部間の区画壁の厚みは、本例と同じとすればよい。これにより、凹状部の設置個数が変わっても、第１縦溝の溝幅が変わらず、同じ厚みの仕切り板が使用できる。
【産業上の利用可能性】
【００２６】
本発明によれば、引出本体の前側板の下方に形成された袋状の凹状部は、複数形成されており、引出本体の収納空間側において、隣接する２つの凹状部間の隙間が仕切り板の溝として利用できる。このため、四角形状の仕切り板を前後区別なく使用でき、使用勝手のよい収納ケースを低コストで製作することができる。
【符号の説明】
【００２７】
１      カバー本体
２      引出本体
３、３ａ〜３ｃ    凹状部
４、４ａ、４ｂ    区画壁
１０      収納ケース  
【図１】
2019088523.tif 000003
【図２】
2019088523.tif 000004
【図３】
2019088523.tif 000005
【図４】
2019088523.tif 000006
【図５】
2019088523.tif 000007
【図６】
2019088523.tif 000008
【図７】
2019088523.tif 000009